(57)【要約】【課題】軽量かつ安価な可動ホーム柵を提供する。【解決手段】固定部３と、固定部３に対してスライド移動する扉部４を備える可動ホーム柵１であって、固定部３は、設置場所に立設される柱状部材５，６と、柱状部材５，６に固定されて扉部４のスライド方向に延びる複数の横フレーム７，８を備えるとともに、複数の横フレーム７，８は、上下方向に間隔を空けて配置されて固定柵を構成し、扉部４は、上下方向に間隔を空けて配置されて扉部４のスライド方向に延びる、複数の横柵１１，１２を備えるとともに、複数の横柵１１，１２は戸先側の端部において、共通の戸先部材１３と結合され、少なくとも１本の横柵１１，１２は、１本の横フレーム７，８に、扉部４のスライド方向に進退自在に支持されている。【選択図】図１
2017137014.tif 000002
【特許請求の範囲】
【請求項１】
固定部と、前記固定部に対してスライド移動する扉部を備える可動ホーム柵であって、
前記固定部は、設置場所に立設される柱状部材と、前記柱状部材に固定されて前記扉部のスライド方向に延びる複数の横フレームを備えるとともに、前記複数の横フレームは、上下方向に間隔を空けて配置されて固定柵を構成し、
前記扉部は、上下方向に間隔を空けて配置されて前記扉部のスライド方向に延びる、複数の横柵を備えるとともに、前記複数の横柵は戸先側の端部において、共通の戸先部材と結合され、
少なくとも１本の前記横柵は、１本の前記横フレームに、前記扉部のスライド方向に進退自在に支持されている、
可動ホーム柵。
【請求項２】
前記横フレームは中空の管状部材で構成され、前記横柵は前記横フレームの入れ子になって、前記横フレームに対して進退するように構成されている、
請求項１に記載の可動ホーム柵。
【請求項３】
前記横フレームは、前記扉部のスライド方向に垂直な平面で切断した断面形において、上辺または下辺が開放された溝形をなしている、
請求項１に記載の可動ホーム柵。
【請求項４】
前記横フレームは、前記扉部のスライド方向に垂直な平面で切断した断面形において、「コ」字形をなしている、
請求項３に記載の可動ホーム柵。
【請求項５】
前記横フレームは、前記扉部のスライド方向に垂直な平面で切断した断面形において、「Ｌ」字形をなしている、
請求項１に記載の可動ホーム柵。
【請求項６】
一端が前記扉部に連結されて、戸尻方向に延びるプッシュプルチェーンと、
前記固定部に軸支されるとともに、前記プッシュプルチェーンと噛合して、前記プッシュプルチェーンを押し引きするスプロケットホイールとを備える、
請求項１から請求項５のいずれか一項に記載の可動ホーム柵。
【請求項７】
前記固定部に、
前記スプロケットホイールによって、戸尻側に引き出された前記プッシュプルチェーンの自由端が、前記固定部の戸先側に向かうように誘導する誘導部材を備える、
請求項６に記載の可動ホーム柵。
【請求項８】
前記誘導部材は、それぞれ、互いに進退自在に支持された２個の部材で構成されていて、
前記誘導部材の一方の部材の端部は前記固定部に連結され、
前記誘導部材の他方の部材の端部は前記扉部に連結されている、
請求項７に記載の可動ホーム柵。
【請求項９】
前記誘導部材の他方の部材の端部は、前記横柵に連結されている、
請求項８に記載の可動ホーム柵。
【請求項１０】
前記固定部の側面にディスプレイ装置を備える、
請求項１から請求項９のいずれか一項に記載の可動ホーム柵。
【請求項１１】
前記固定部の上面に筐体を備える、
請求項１から請求項９のいずれか一項に記載の可動ホーム柵。
【発明の詳細な説明】
【技術分野】
【０００１】
この発明は、鉄道駅のプラットホームに設置される可動ホーム柵に関する。
【背景技術】
【０００２】
可動ホーム柵は、鉄道駅のプラットホームに設置されて、鉄道車両の発着に合わせて開閉される一種の自動ドア装置である。一般に、可動ホーム柵は、プラットホームに固定された戸袋と、戸袋に設けられたレール上を移動して、戸袋に対して進退する扉を備えている。
【０００３】
このような可動ホーム柵を軽量かつ安価に構成するために、様々な試みがされている。例えば、特許文献１に記載の可動ホーム柵は、扉を、コ字状に曲げられて形成されたメインパイプと、概略水平に設けられるサブパイプと、箱型部材（もたせ部）とから構成することによって、扉の軽量化を図っている。また、特許文献１は、このような構造を選択すれば、扉を安価に形成することが可能となると主張している。
【先行技術文献】
【特許文献】
【０００４】
【特許文献１】特許第３３０６０５５号公報
【発明の概要】
【発明が解決しようとする課題】
【０００５】
しかしながら、特許文献１に記載の可動ホーム柵においては、扉の軽量化とコストダウンが、まだ十分にされていないという問題がある。例えば、箱型部材（もたせ部）を必須の構成要素としているので、箱型部材の分だけ扉の重量が増すという問題がある。また、箱型部材の製造や箱型部材とメインパイプ等の結合に係る手間の分だけ、製造コストが嵩むという問題がある。また、扉の重量が大きいと、扉の開閉に必要な動力も増すので、可動ホーム柵の運転コストが増すという問題もある。
【０００６】
この発明は上記の課題を解決するためにされたものであり、軽量かつ安価な可動ホーム柵を提供することを目的とする。  
【課題を解決するための手段】
【０００７】
この発明に係る可動ホーム柵は、固定部と、固定部に対してスライド移動する扉部を備える可動ホーム柵であって、固定部は、設置場所に立設される柱状部材と、柱状部材に固定されて扉部のスライド方向に延びる複数の横フレームを備えるとともに、複数の横フレームは、上下方向に間隔を空けて配置されて固定柵を構成し、扉部は、上下方向に間隔を空けて配置されて扉部のスライド方向に延びる、複数の横柵を備えるとともに、複数の横柵は戸先側の端部において、共通の戸先部材と結合され、少なくとも１本の横柵は、１本の横フレームに、扉部のスライド方向に進退自在に支持されているものである。
【発明の効果】
【０００８】
この発明によれば、柱状部材と横フレームで可動ホーム柵の固定部が構成され、戸先部材と横柵で可動ホーム柵の扉部が構成されるので、可動ホーム柵の構造が簡易化される。その結果、可動ホーム柵が軽量化される。また、可動ホーム柵の製造コストが削減される。
【図面の簡単な説明】
【０００９】
【図１】この発明の実施形態１に係る可動ホーム柵の構成を示す説明図であって、図１（ａ）は可動ホーム柵の側面図であり、図１（ｂ）は可動ホーム柵の側断面図であり、図１（ｃ）は可動ホーム柵を図１（ａ）においてＡ−Ａ’線で示す面で切断した断面図である。
【図２】図１に記載の可動ホーム柵が備える筐体の構成を示す説明図であって、図２（ａ）は筐体の平面図であり、図２（ｂ）は筐体の側面図である。図２（ｃ）及び図２（ｄ）は筐体を図２（ａ）においてＡ−Ａ’線で示す面で切断した断面図であり、図２（ｅ）及び図２（ｆ）は、筐体を図２（ａ）においてＢ−Ｂ’線で示す面で切断した断面図である。
【図３】この発明の実施形態１の変形例に係る可動ホーム柵の構成を示す説明図であって、図３（ａ）は可動ホーム柵の側面図であり、図３（ｂ）は可動ホーム柵を図３（ａ）においてＡ−Ａ’線で示す面で切断した断面図である。
【図４】この発明の実施形態１の別の変形例に係る可動ホーム柵の構成を示す説明図であって、図４（ａ）は可動ホーム柵の側面図であり、図４（ｂ）は可動ホーム柵を図４（ａ）においてＡ−Ａ’線で示す面で切断した断面図である。
【図５】この発明の実施形態１の別の変形例に係る可動ホーム柵の構成を示す説明図であって、図４（ｂ）に対応する断面図である。
【図６】この発明の実施形態１の別の変形例に係る可動ホーム柵の構成を示す説明図であって、可動ホーム柵の側面図である。
【図７】この発明の実施形態２に係る可動ホーム柵の構成を示す説明図であって、図７（ａ）は全開状態にある可動ホーム柵の側断面図であり、図７（ｂ）は全閉状態にある可動ホーム柵の側断面図である。
【図８】図７に記載の可動ホーム柵が備えるプッシュプルチェーンの構成を示す説明図であって、図８（ａ）はプッシュプルチェーンの側面図であり、図８（ｂ）は、プッシュプルチェーンを図８（ａ）においてＡ−Ａ’線で示す面で切断した断面図であり、図８（ｃ）は、プッシュプルチェーンを曲げた状態を示す側面図である。
【図９】図７に記載の可動ホーム柵が備える誘導部材の形状を示す断面図である。
【図１０】図７に記載の可動ホーム柵が備える誘導部材の変形例を示す説明図であって、図１０（ａ）は誘導部材を縮めた状態を示す側面図であり、図１０（ｂ）は誘導部材を伸ばした状態を示す側面図であり、図１０（ｃ）は誘導部材を図１０（ａ）においてＡ−Ａ’線で示す面で切断した断面図である。
【図１１】この発明の実施形態３に係る可動ホーム柵の概略構成図であって、図１１（ａ）は全閉状態における可動ホーム柵の側面図であり、図１１（ｂ）は全開状態における可動ホーム柵の側面図であり、図１１（ｃ）は、可動ホーム柵を図１１（ｂ）においてＡ−Ａ’線で示す面で切断した断面図である。
【図１２】この発明の実施形態４に係る可動ホーム柵の概略構成図であって、図１２（ａ）は全閉状態における可動ホーム柵の側面図であり、図１２（ｂ）は全開状態における可動ホーム柵の側面図であり、図１２（ｃ）は、可動ホーム柵を図１２（ｂ）においてＡ−Ａ’線で示す面で切断した断面図である。
【図１３】この発明の実施形態５に係る可動ホーム柵の概略構成図であって、図１３（ａ）は全閉状態における可動ホーム柵の側面図であり、図１３（ｂ）は全開状態における可動ホーム柵の側面図であり、図１３（ｃ）は、可動ホーム柵を図１３（ｂ）においてＡ−Ａ’線で示す面で切断した断面図である。
【図１４】この発明の実施形態６に係る可動ホーム柵の概略構成図であって、図１４（ａ）は全閉状態における可動ホーム柵の側面図であり、図１４（ｂ）は全開状態における可動ホーム柵の側面図であり、図１４（ｃ）は、可動ホーム柵を図１４（ｂ）においてＡ−Ａ’線で示す面で切断した断面図である。
【図１５】この発明の実施形態７に係る可動ホーム柵の概略構成図であって、図１５（ａ）は全閉状態における可動ホーム柵の側面図であり、図１５（ｂ）は全開状態における可動ホーム柵の側面図であり、図１５（ｃ）は、可動ホーム柵を図１５（ｂ）においてＡ−Ａ’線で示す面で切断した断面図である。
【図１６】この発明の実施形態８に係る可動ホーム柵の概略構成図であって、図１６（ａ）は全閉状態における可動ホーム柵の側面図であり、図１６（ｂ）は全開状態における可動ホーム柵の側面図であり、図１６（ｃ）は、可動ホーム柵を図１６（ｂ）においてＡ−Ａ’線で示す面で切断した断面図である。
【図１７】この発明の実施形態９に係る可動ホーム柵の概略構成図であって、図１７（ａ）は全閉状態における可動ホーム柵の側面図であり、図１７（ｂ）は全開状態における可動ホーム柵の側面図であり、図１７（ｃ）は、可動ホーム柵を図１７（ｂ）においてＡ−Ａ’線で示す面で切断した断面図である。
【図１８】この発明の実施形態１０に係る可動ホーム柵の概略構成図であって、図１８（ａ）は全閉状態における可動ホーム柵の側面図であり、図１８（ｂ）は全開状態における可動ホーム柵の側面図であり、図１８（ｃ）は、可動ホーム柵を図１８（ｂ）においてＡ−Ａ’線で示す面で切断した断面図である。
【図１９】この発明の実施形態１１に係る可動ホーム柵の概略構成図であって、図１９（ａ）は全閉状態における可動ホーム柵の側面図であり、図１９（ｂ）は全開状態における可動ホーム柵の側面図であり、図１９（ｃ）は、可動ホーム柵を図１９（ｂ）においてＡ−Ａ’線で示す面で切断した断面図である。
【図２０】この発明の実施形態１２に係る可動ホーム柵の概略構成図であって、図２０（ａ）は全閉状態における可動ホーム柵の側面図であり、図２０（ｂ）は全開状態における可動ホーム柵の側面図であり、図２０（ｃ）は、可動ホーム柵を図２０（ｂ）においてＡ−Ａ’線で示す面で切断した断面図である。
【図２１】この発明の実施形態１３に係る可動ホーム柵の概略構成図であって、図２１（ａ）は全閉状態における可動ホーム柵の側面図であり、図２１（ｂ）は全開状態における可動ホーム柵の側面図であり、図２１（ｃ）は、可動ホーム柵を図２１（ｂ）においてＡ−Ａ’線で示す面で切断した断面図である。
【図２２】この発明の実施形態１４に係る可動ホーム柵の概略構成図であって、図２２（ａ）は全閉状態における可動ホーム柵の側面図であり、図２２（ｂ）は全開状態における可動ホーム柵の側面図であり、図２２（ｃ）は、可動ホーム柵を図２２（ｂ）においてＡ−Ａ’線で示す面で切断した断面図である。
【図２３】この発明の実施形態１５に係る可動ホーム柵の概略構成図であって、図２３（ａ）は全閉状態における可動ホーム柵の側面図であり、図２３（ｂ）は全開状態における可動ホーム柵の側面図であり、図２３（ｃ）は、可動ホーム柵を図２３（ｂ）においてＡ−Ａ’線で示す面で切断した断面図である。
【図２４】この発明の実施形態１６に係る可動ホーム柵の概略構成図であって、図２４（ａ）は全閉状態における可動ホーム柵の側面図であり、図２４（ｂ）は全開状態における可動ホーム柵の側面図であり、図２４（ｃ）は、可動ホーム柵を図２４（ｂ）においてＡ−Ａ’線で示す面で切断した断面図である。
【図２５】この発明の実施形態１７に係る可動ホーム柵の概略構成図であって、図２５（ａ）は全閉状態における可動ホーム柵の側面図であり、図２５（ｂ）は全開状態における可動ホーム柵の側面図である。
【図２６】この発明の実施形態１８に係る可動ホーム柵の概略構成図である。
【図２７】この発明の実施形態１８の変形例に係る可動ホーム柵の概略構成図である。
【図２８】この発明の実施形態１９に係る可動ホーム柵の概略構成図であって、図２８（ａ）は可動ホーム柵の側面図であり、図２８（ｂ）は、可動ホーム柵を図２８（ａ）においてＡ−Ａ’線で示す面で切断した断面図であり、図２８（ｃ）は、可動ホーム柵を図２８（ａ）においてＢ−Ｂ’線で示す面で切断した断面図である。
【図２９】図２８に記載の可動ホーム柵を据え付ける手順を時系列に沿って示す図である。
【図３０】図３０（ａ）は図２８に記載の可動ホーム柵において、戸先の当たり調整前の状態を、図３０（ｂ）は調整後の状態を、それぞれ示す図である。
【図３１】図３０に記載の説明図において、取り付け金具回りの状態を示す拡大図であって、図３１（ａ）は調整前の状態を、図３１（ｂ）は調整後の状態を、それぞれ示す図である。
【図３２】この発明の実施形態２０に係る可動ホーム柵の概略構成図であって、図３２（ａ）は、左側に引き出される扉部を固定部に取り付けた状態を、図３２（ｂ）は、右側に引き出される扉部を固定部に取り付けた状態を、それぞれ示す図である。
【図３３】図３２に記載の可動ホーム柵を据え付ける前の状態を示す説明図であって、図３３（ａ）は可動ホーム柵の平面図であり、図３３（ｂ）は、可動ホーム柵を図３３（ａ）においてＡ−Ａ’線で示す面で切断した断面図であり、図３３（ｃ）は、可動ホーム柵を図３３（ａ）においてＢ−Ｂ’線で示す面で切断した断面図である。
【図３４】図３２に記載の可動ホーム柵を据え付けた後の状態を示す説明図であって、図３４（ａ）は可動ホーム柵の平面図であり、図３４（ｂ）は、可動ホーム柵を図３４（ａ）においてＡ−Ａ’線で示す面で切断した断面図であり、図３４（ｃ）は、可動ホーム柵を図３４（ａ）においてＢ−Ｂ’線で示す面で切断した断面図である。
【図３５】この発明の実施形態２１に係る課題を説明する可動ホーム柵の概略構成図である。
【図３６】この発明の実施形態２１に係る調整器具の構成図である。
【図３７】この発明の実施形態２１に係る可動ホーム柵の概略構成図であって、図３７（ａ）は全体構成を、図３７（ｂ）は扉部の構成を、それぞれ示す図である。
【図３８】実施形態２１の変形例に係る可動ホーム柵の概略構成図である。
【図３９】この発明の実施形態２２に係る可動ホーム柵の構成を示す説明図であって、図３９（ａ）は可動ホーム柵の側面図であり、図３９（ｂ）は可動ホーム柵を図３９（ａ）においてＡ−Ａ’線で示す面で切断した断面図である。
【図４０】この発明の実施形態２３に係る可動ホーム柵の構成を示す説明図であって、図４０（ａ）は可動ホーム柵の側面図であり、図４０（ｂ）は可動ホーム柵を図４０（ａ）においてＡ−Ａ’線で示す面で切断した断面図である。
【図４１】この発明の実施形態２４に係る可動ホーム柵の構成を示す説明図であって、図５に対応する断面図である。
【図４２】この発明の実施形態２５に係る可動ホーム柵の構成を示す説明図であって、図４２（ａ）は可動ホーム柵の側面図であり、図４２（ｂ）は可動ホーム柵を図４２（ａ）においてＡ−Ａ’線で示す面で切断した断面図である。
【図４３】この発明の実施形態２６に係る可動ホーム柵の構成を示す説明図であって、図４３（ａ）は可動ホーム柵の側面図であり、図４３（ｂ）は可動ホーム柵を図４３（ａ）においてＡ−Ａ’線で示す面で切断した断面図である。
【図４４】この発明の実施形態２７に係る可動ホーム柵の構成を示す説明図であって、図４４（ａ）は可動ホーム柵の側面図であり、図４４（ｂ）は可動ホーム柵を図４４（ａ）においてＡ−Ａ’線で示す面で切断した断面図である。
【発明を実施するための形態】
【００１０】
以下、本発明の実施形態に係る可動ホーム柵について、図面を参照しながら詳細に説明する。なお、各図面においては、同一または同等の部分に同一の符号を付している。
【００１１】
（実施形態１）
図１（ａ）〜図１（ｃ）は、この発明の実施形態１に係る可動ホーム柵の構成を示す説明図である。図１（ａ）に示すように、可動ホーム柵１は、鉄道駅のプラットホームの床面２に固定される固定部３と、固定部３に対してスライド移動して、列車の乗降口を開閉する扉部４とを備える。なお、図１（ａ）は列車の乗降口が開放された状態（全開状態）を実線で示している。列車の乗降口が閉鎖された状態（全閉状態）においては、扉部４は図中に一点鎖線で示す位置に移動する。また、本明細書では、図１（ａ）〜図１（ｃ）に示すように、水平方向にＸ軸を、鉛直方向にＹ軸を設定して、適宜、この座標軸を引用して説明する。また、図１（ａ）〜図１（ｃ）においては、扉部４を固定部３に対して進退させる機構については、図示を省略している。該機構については、後で例示するような各種の機構を任意に選択することができる。
【００１２】
図１（ａ）に示すように、固定部３は、柱状部材５，６と上部及び下部横フレーム７，８を備えている。柱状部材５，６は、Ｘ軸方向に間隔を空けて配置されて、床面２に固定されている。上部及び下部横フレーム７，８は、柱状部材５，６に固定されて扉部４のスライド方向（Ｘ軸方向）に延びる部材であって、上下方向（Ｙ軸方向）に間隔を空けて配置されて、横柵を形成する部材である。また、下部横フレーム８は、下部柱状部材５ａ，６ａの上端に固定されている。下部横フレーム８には、上部柱状部材５ｂ，６ｂの下端が固定され、上部柱状部材５ｂ，６ｂの上端には、上部横フレーム７が固定されている。このように、柱状部材５，６は、下部柱状部材５ａ，６ａと上部柱状部材５ｂ，６ｂに分割されているが、本明細書において、単に「柱状部材５，６」と言う場合、それぞれ、下部柱状部材５ａと上部柱状部材５ｂ、下部柱状部材６ａと上部柱状部材６ｂを包含する柱状部材５，６の全体を指す。
【００１３】
また、図１（ａ）に示すように、固定部３の側面の上部横フレーム７と下部横フレーム８の間には、ディスプレイ装置９が配置されている。ディスプレイ装置９は図示しない締結手段によって、その上辺が上部横フレーム７に、下辺が下部横フレーム８にそれぞれ固定されている。なお、ディスプレイ装置９は、例えば液晶ディスプレイ装置のような、図示しない制御装置で制御されて、文字や画像を表示して、乗降客に情報を提示する装置である。また、図１（ａ）においては、ディスプレイ装置９の文字や画像が表示されるスクリーン部分に網目を付している。
【００１４】
なお、ディスプレイ装置９自身のメンテナンス、あるいは可動ホーム柵１のメンテナンスを容易にするために、ディスプレイ装置９は、固定部３に対して移動又は回動自在に取り付けられても良い。例えば、ディスプレイ装置９を、スライド機構を介して固定部３に取り付けて、ディスプレイ装置９が固定部３に対してＸ軸方向にスライドするようにしても良い。あるいは、ディスプレイ装置９を、ヒンジを介して固定部３に取り付けて、ディスプレイ装置９が固定部３に対してヒンジ軸回りに揺動するようにしても良い。あるいは、ディスプレイ装置９を、スイング機構やパンタグラフ支持機構を介して固定部３に取り付けるようにしても良い。
【００１５】
また、ディスプレイ装置９は、透過型ディスプレイであっても良い。ディスプレイ装置９を透過型ディスプレイにすれば、ディスプレイ装置９が表示を停止している場合には、ディスプレイ装置９を通して、ホーム側から軌道側を見通すことができる。ディスプレイ装置９に文字や図形を表示している場合であっても、ディスプレイ装置９の文字や図形が表示されていない部位を通して、ホーム側から軌道側を見通すことができる。
【００１６】
また、図１（ａ）に示すように、固定部３の上面（本実施形態においては、上部横フレーム７の上面）には、筐体１０が配置され、図示しない締結手段によって、固定部３の上面に固定されている。筐体１０は図示しない制御装置を収容する容器である。なお、筐体１０の詳細な構成については、後述する。
【００１７】
筐体１０内に配置される制御装置は、可動ホーム柵１本体の制御、駆動装置であるが、ディスプレイ装置９の制御装置を筐体１０内に配置しても良い。固定部３の上面に筐体１０を固定して、筐体１０内に制御装置を配置することにより、固定部３の横フレーム７，８の間に制御装置を配置する必要がなくなる。その結果、横フレーム７，８の間に余積が生じ、そこにディスプレイ装置９を配置することが可能になる。また、ディスプレイ装置９を配置しなければ、あるいは、透過型ディスプレイでディスプレイ装置９を構成すれば、ホーム側から軌道側を見通すことができる。また、固定部３の上面に固定された筐体１０内に制御装置を配置することにより、固定部３をスリムに構成することができる。
【００１８】
図１（ｂ）に示すように、扉部４は、上部および下部横柵１１，１２を備えている。上部および下部横柵１１，１２は、上下方向（Ｙ軸方向）に間隔を空けて配置されていて、扉部４のスライド方向（Ｘ軸方向）に延びている。また、上部横柵１１と下部横柵１２は戸先側（−Ｘ側）の端部において、戸先部材１３を介して連結されている。そのため、扉部４は、側面形において、全体として「Ｕ」字形をなしている。なお、本実施形態において、扉部４は、一本の管材（本実施形態では、ステンレス鋼のパイプ）を、「Ｕ」字形をなすように曲げ加工して製造される。
【００１９】
図１（ｂ）及び図１（ｃ）に示すように、上部横フレーム７と下部横フレーム８は、戸先側（−Ｘ側）の端部が開放された、中空の管材である。そして、上部横柵１１は上部横フレーム７に差し込まれていて、扉部４が固定部３に対して進退する際に、上部横フレーム７の戸先側（−Ｘ側）の端部から出入りするように構成されている。同様に、下部横柵１２は下部横フレーム８に差し込まれていて、下部横フレーム８の戸先側（−Ｘ側）の端部から出入りするように構成されている。つまり、上部横柵１１と下部横柵１２は、それぞれ上部横フレーム７と下部横フレーム８の入れ子になって、それぞれ、上部横フレーム７と下部横フレーム８に対してＸ軸方向に進退するように構成されている。
【００２０】
また、図１（ｂ）及び図１（ｃ）に示すように、下部横フレーム８の内面の上部には、リニアガイドレール１４が固定されている。リニアガイドレール１４は扉部４のスライド方向（Ｘ軸方向）に延びている。また、下部横柵１２の上面には、２台のリニアガイド１５が扉部４のスライド方向（Ｘ軸方向）に間隔を空けて配置されて、固定されている。リニアガイド１５は、図示しないボールやローラを備えていて、リニアガイド１５に対してＸ軸方向に摺動自在に支持される機械部品である。このように構成されているので、下部横柵１２は下部横フレーム８に対して、Ｘ軸方向に摺動自在に支持される。
【００２１】
（筐体）
ここで、筐体１０の構成について、説明する。図２（ａ）（平面図）及び図２（ｂ）（側面図）に示すように、筐体１０は上部横フレーム７に載置固定されるベース１６と、ベース１６の全体を覆うカバー１７を備えている。カバー１７は４個のヒンジ１８を介してベース１６に連結されている。また、カバー１７は小蓋１９を備えている。そして、小蓋１９はヒンジ２０を介してカバー１７に連結されている。なお、筐体１０内に収容される制御装置１０ａは、図２（ｃ）〜図２（ｆ）に示すように、ベース１６の上面に載置及び固定される。
【００２２】
可動ホーム柵１が通常の使用（運用）状態にある時は、カバー１７は、図２（ｃ）に示すように、ベース１６の全体を覆う位置にある。筐体１０内に収容された制御装置１０ａに対してメンテナンス作業を行う時には、カバー１７は、図２（ｄ）に示すように、ヒンジ１８回りに回転されて、ベース１６の上面が開放される。同様に、可動ホーム柵１が通常の使用（運用）状態にある時は、図２（ｅ）に示すように、小蓋１９も閉鎖されている。制御装置１０ａに対して、何らかの操作を行う場合、例えば、図示しないモード切り替えスイッチを操作して、自動運転モードと手動運転モードを相互に切り替えるような場合は、図２（ｆ）に示すように、小蓋１９を開放してスイッチを操作する。
【００２３】
（変形例）  
以上、実施形態１においては、上部及び下部横フレーム７，８を中空の管材で構成する例を例示したが、上部及び下部横フレーム７，８の形状は、このようなものには限定されない。
【００２４】
可動ホーム柵１の上部及び下部横フレーム７，８は、図３（ａ）及び（ｂ）に示すように、横断面形において、「コ」字形をなすように構成されても良い。また、この変形例では、上部横フレーム７は横断面形において下辺が、下部横フレーム８は上辺が、それぞれ開放されている。そのため、図３（ｂ）に示すように、上部横柵１１と下部横柵１２の間にパネル２１を配置して、パネル２１を上部横柵１１と下部横柵１２に固定することができる。
【００２５】
なお、この変形例において、上部横フレーム７は、横断面形において下辺が開放されていれば十分であり、下部横フレーム８は、横断面形において上辺が開放されていれば十分である。したがって、これらの横断面形は、「コ」字形には限定されない。横断面形は、円弧状や、「Ｕ」字形（逆「Ｕ」字形）であっても良い。
【００２６】
また、可動ホーム柵１に２枚の扉部４，４’を備える場合は、図４（ａ）及び（ｂ）に示すように、１組の上部横フレーム７と下部横フレーム８で、２枚の扉部４，４’を支持するようにしても良い。
【００２７】
また、横断面（ＹＺ平面）において、２枚の扉部４，４’が、柱状部材５，６を挟んで配置される場合は、図５に示すように、下部横フレーム８，８’を、横断面形において、「Ｌ」字形をなすように構成することもできる。また、図５に示した場合において、上部横フレーム７を左右に分割して、それぞれが、横断面形において、「Ｌ」字形をなすように構成しても良い。
【００２８】
以上、実施形態１においては、扉部４が２本の横柵（上部及び下部横柵１１，１２）を備える例を示したが、扉部４が備える横柵は２本には限定されない。扉部４が、３本以上の横柵を備えるようにしても良い。図６に示すように、上部横柵１１と下部横柵１２の間に中間部横柵２２を備えるようにしても良い。この変形例においては、固定部３は中間部横フレーム２３を備えていて、中間部横柵２２は中間部横フレーム２３の入れ子になるように構成されているが、中間部横フレーム２３を省いても良い。この場合、閉扉時においても、中間部横柵２２は固定部３の外にあって露出する。
【００２９】
（実施形態２）
実施形態２においては、可動ホーム柵１を駆動する機構の一例として、プッシュプルチェーンを備える機構を例示する。この可動ホーム柵１は、図７（ａ）及び（ｂ）に示すように、プッシュプルチェーン２４とスプロケットホイール２５を備える。プッシュプルチェーン２４は、張力と推力を伝達できるチェーンである。つまり、プッシュプルチェーン２４は、「押し」と「引き」の両方の動作が可能なチェーンである。プッシュプルチェーン２４の具体的な構成については後述する。スプロケットホイール２５は固定部３に軸支されて、プッシュプルチェーン２４と噛合する歯車である。そして、スプロケットホイール２５は図示しない電動機で駆動されて回転する。つまり、スプロケットホイール２５はプッシュプルチェーン２４を進退させる歯車である。
【００３０】
また、プッシュプルチェーン２４の一端はブラケット２６を介して、扉部４の上部横柵１１に連結されて、そこから戸尻側（＋Ｘ方向）に延びている。そして、スプロケットホイール２５に巻掛けられて、スプロケットホイール２５と噛合される。さらに、プッシュプルチェーン２４はスプロケットホイール２５から垂下して、柱状部材６の内部を通って、戸先側（−Ｘ方向）に導かれている。そして、プッシュプルチェーン２４の他端（自由端２４ａ）は、扉部４の下部横柵１２の中に届いている。なお、本実施形態において、上部横柵１１と下部横柵１２は中空の円管で構成されている。つまり、プッシュプルチェーン２４の自由端２４ａは、下部横柵１２を構成する円管の内部にある。
【００３１】
また、図７（ａ）及び（ｂ）に示すように、実施形態２に係る可動ホーム柵１は、第１の誘導部材２７、第２の誘導部材２８及び第３の誘導部材２９を備えている。プッシュプルチェーン２４は、第１〜３の誘導部材２７〜２９に誘導されて、固定部３と扉部４の間で進退する。第１の誘導部材２７は一端が固定部３に固定されて、他端が戸先側に延びる部材であって、全開状態（図７（ａ）に示す状態）において、上部横柵１１に差し込まれるように構成されている。プッシュプルチェーン２４は、第１の誘導部材２７に誘導されて、上部横柵１１とスプロケットホイール２５の間を進退する。第２の誘導部材２８は、スプロケットホイール２５の下方において、柱状部材６の内壁に固定されて、上下方向に延びる部材である。プッシュプルチェーン２４は、第２の誘導部材２８に誘導されて、スプロケットホイール２５に対して昇降する。第３の誘導部材２９は、第２の誘導部材２８の下方に配置され、一端が固定部３に固定され、他端が戸先側に延びる部材であって、全開状態（図７（ａ）に示す状態）において、下部横柵１２に差し込まれるように構成されている。プッシュプルチェーン２４は、第３の誘導部材２９に誘導されて、下部横柵１２に対して進退する。なお、第１〜３の誘導部材２７〜２９の具体的な形状については、後述する。
【００３２】
さて、図７（ａ）に示す状態において、スプロケットホイール２５を反時計回り（矢印ＣＣＷ方向）に回転させると、上部横フレーム７内においてプッシュプルチェーン２４は戸先側（−Ｘ方向、矢印ＦＷＤ方向）に移動して、扉部４を戸先側に押し出す。その結果、扉部４は戸先側に移動して、図７（ｂ）に示す状態になる。つまり全閉状態になる。また、全開状態において、柱状部材６の中にあったプッシュプルチェーン２４は、全閉状態において、上部横フレーム７内に押し込まれ、下部横柵１２の中にあったプッシュプルチェーン２４は引き出される。この間、プッシュプルチェーン２４は、第１〜３の誘導部材２７〜２９によって、変位が規制されて、上記のような経路を辿って進退する。つまりプッシュプルチェーン２４は、第１〜３の誘導部材２７〜２９に誘導されて進退する。
【００３３】
図７（ｂ）に示す状態において、スプロケットホイール２５を時計回り（矢印ＣＷ方向）に回転させると、上部横フレーム７内においてプッシュプルチェーン２４は戸尻側（＋Ｘ方向、矢印ＢＷＤ方向）に移動して、扉部４を戸尻側に引き戻す。その結果、扉部４は戸尻側に移動して、図７（ａ）に示す状態になる。つまり全開状態になる。また、全閉状態において、上部横フレーム７内にあったプッシュプルチェーン２４は、全開状態においては、引き出され、柱状部材６の中にあったプッシュプルチェーン２４は、下部横柵１２の中に押し込まれる。この間、プッシュプルチェーン２４は、第１〜３の誘導部材２７〜２９によって、変位が規制されて、上記のような経路を辿って進退する。つまりプッシュプルチェーン２４は、第１〜３の誘導部材２７〜２９に誘導されて進退する。
【００３４】
このように、可動ホーム柵１が開閉する際は、プッシュプルチェーン２４は、上部横フレーム７と下部横柵１２の間を移動する。この間、プッシュプルチェーン２４は、第１〜３の誘導部材２７〜２９によって誘導されるので、移動はスムーズに行われ、異音の発生は少ない。
【００３５】
また、全開状態において、上部横フレーム７から引き出されたプッシュプルチェーン２４は下部横柵１２の中に押し込まれるので、引き出されたプッシュプルチェーン２４を収容するスペースを固定部３内に別途用意する必要がない。そのため、固定部３をコンパクトに設計することができる。
【００３６】
ここで、プッシュプルチェーン２４の構成について説明する。図８（ａ）と図８（ｂ）に示すように、プッシュプルチェーン２４はリンク３０とジョイントピース３１を交互に配列して、リンク３０とジョイントピース３１をピン３２で接続して構成されている。またリンク３０は図８（ａ）に示す側面形において、上辺の隅部３０ａの輪郭が直角をなし、下辺の隅部３０ｂの輪郭が円弧をなすような形状を備えている。そのため、プッシュプルチェーン２４は図８（ｃ）に示す方向には屈曲するが、その逆方向には屈曲しない。
【００３７】
そのため、図８（ａ）において矢印Ｗで示す方向に荷重が加わるように、プッシュプルチェーン２４を配置した場合に、プッシュプルチェーン２４に矢印Ｔで示す方向に圧力を加えても、プッシュプルチェーン２４は曲がらない。つまり、図８（ａ）に示す状態においては、プッシュプルチェーン２４を使って推力を伝達することができる。なお、本実施形態に係るプッシュプルチェーン２４の詳細な構成は、特開２００２−１０６６４７号公報に開示されている。必要ならば、前記公報を参照されたい。
【００３８】
また、図９に示すように、第１〜３の誘導部材２７〜２９は、溝形あるいは樋形の断面を備えている。第１〜３の誘導部材２７〜２９はこのような形状を備えているので、プッシュプルチェーン２４の変位が規制され、プッシュプルチェーン２４は設計者が意図した方向に誘導される。なお、第２及び第３の誘導部材２８，２９は、第１の誘導部材２７のようにブラケット２６を露出させる必要がないので、中空のパイプで構成されても良い。つまり、中空のパイプの中にプッシュプルチェーン２４を通すようにしても良い。
【００３９】
また、第１及び第３の誘導部材２７，２９は伸縮自在に構成されても良い。例えば、図１０（ａ）〜（ｃ）に示すように、第１の誘導部材２７を第１部材２７ａと第２部材２７ｂに分割して、第２部材２７ｂを第１部材２７ａの入れ子にして、互いに進退自在にしても良い。また、第１部材２７ａの端部を固定部３に、第２部材２７ｂの端部を上部横柵１１にそれぞれ連結するようにしても良い。
【００４０】
（実施形態３）
扉部４を進退させる機構は、実施形態２で例示したものには限定されない。各種の機構を選択することができる。図１１（ａ）〜（ｃ）に示すようなベルトプーリ機構によるものであっても良い。図１１（ａ）〜（ｃ）に示すように、実施形態３に係る可動ホーム柵１は、駆動プーリ３３、従動プーリ３４及びタイミングベルト３５を備えている。駆動プーリ３３と従動プーリ３４は、下部横フレーム８内に、Ｘ軸方向に間隔を空けて配置され、それぞれ下部横フレーム８に軸支されている。タイミングベルト３５は駆動プーリ３３と従動プーリ３４の間に巻き回された無限ベルトである。駆動プーリ３３は電動機３６によって回転駆動され、駆動プーリ３３が回転すると、タイミングベルト３５は、駆動プーリ３３と従動プーリ３４の間を周回する。タイミングベルト３５はベルトクランプ３５ａによって、下部横柵１２に連結されている。そのため、図１１（ａ）において、タイミングベルト３５を矢印ＢＷＤで示す方向に周回させると、扉部４は固定部３の中に引き込まれる。図１１（ｂ）において、タイミングベルト３５を矢印ＦＷＤで示す方向に周回させると、扉部４は固定部３の外に押し出される。また、上部横柵１１の戸尻側の端部には、ローラ３７が軸支されている。ローラ３７は、扉部４が固定部３に対して進退する際に、上部横フレーム７の内面に当接して転動し、扉部４の振れ止めとして機能する。
【００４１】
（実施形態４）
扉部４を進退させる機構の例示を続ける。図１２（ａ）〜（ｃ）は、実施形態４に係る可動ホーム柵１の構成図である。駆動機構の基本的な構成は、実施形態３と共通するが、下部横フレーム８の更に下方に第３の横フレーム３８を備える点と、従動プーリ３４を３個備える点で異なる。図１２（ａ）及び（ｂ）に示すように、この可動ホーム柵１は、下部横フレーム８に駆動プーリ３３と従動プーリ３４が軸支されている。また、下部横フレーム８の下方に第３の横フレーム３８を備えている。そして、第３の横フレーム３８には、従動プーリ３４ａと従動プーリ３４ｂが軸支されている。タイミングベルト３５は、駆動プーリ３３、従動プーリ３４、従動プーリ３４ａ及び従動プーリ３４ｂの間に巻き回されている。そして、駆動プーリ３３が電動機３６によって駆動されて回転すると、タイミングベルト３５は、これらの間を周回する。また、タイミングベルト３５はベルトクランプ３５ａによって、下部横柵１２に連結されていて、タイミングベルト３５が周回すると、扉部４が固定部３に対して進退する。
【００４２】
（実施形態５）
扉部４を進退させる機構の例示を更に続ける。図１３（ａ）〜（ｃ）は、実施形態５に係る可動ホーム柵１の構成図である。図１３（ａ）及び（ｂ）に示すように、この可動ホーム柵１は、有端タイミングベルト３９を備えている。そして有端タイミングベルト３９の端部は、下部横柵１２の戸先側端部１２ａと戸尻側端部１２ｂに固定されている。下部横フレーム８には、ガイドローラ４０が２個、軸支されている。柱状部材５の内部には、電動機３６によって駆動される駆動プーリ３３が配置されている。戸先側端部１２ａから延びる有端タイミングベルト３９は、図において左側に配置されたガイドローラ４０に巻き回されて、下方に下がり、駆動プーリ３３に巻き掛けられている。駆動プーリ３３に巻き掛けられた有端タイミングベルト３９は再び上方に向かい、図において右側に配置されたガイドローラ４０に巻き回されて、戸尻側端部１２ｂまで延びている。また、ガイドローラ４０は、戸先側端部１２ａとガイドローラ４０の間、及びガイドローラ４０と戸尻側端部１２ｂの間で、有端タイミングベルト３９が下部横柵１２と平行に張られるように配置されている。
【００４３】
図１３（ａ）に示す状態において、駆動プーリ３３を反時計回り（矢印ＣＣＷの方向）に回転させると、戸先側端部１２ａを戸尻側に引っ張る方向の張力が有端タイミングベルト３９に生じる。その結果、扉部４は戸尻方向に引き戻される。図１３（ｂ）に示す状態において、駆動プーリ３３を時計回り（矢印ＣＷの方向）に回転させると、戸尻側端部１２ｂを戸先側に引っ張る方向の張力が有端タイミングベルト３９に生じる。その結果、扉部４は戸先方向に引き出される。
【００４４】
（実施形態６）
扉部４を進退させる機構は、送りねじを使用するものであっても良い。例えば図１４（ａ）〜（ｃ）に示すように、下部横フレーム８の中に、Ｘ軸方向に延びる送りねじ４１を配置して、下部横柵１２の戸尻側の端部に固定されたナット４２に螺合させても良い。柱状部材６の中に配置した電動機３６で送りねじ４１を回転させれば、ナット４２は送りねじ４１に対して進退する。その結果、扉部４は固定部３に対して進退する。
【００４５】
（実施形態７）
プッシュプルチェーン２４を使って扉部４を進退させる機構は、実施形態２で説明したが、かかる機構は実施形態２で例示したものには限定されない。例えば、図１５（ａ）〜（ｃ）に示すように、プッシュプルチェーン２４の一端を下部横柵１２の戸尻側の端部に連結して、プッシュプルチェーン２４の他端を、第３の横フレーム３８の中に導くようにしても良い。
【００４６】
（実施形態８）
扉部４を進退させる機構は、ラックピニオン機構であっても良い。例えば、図１６（ａ）〜（ｃ）に示すように、下部横柵１２にラック４３を固定して、そのラック４３を電動機３６で回転駆動されるピニオン４４と噛合させるようにしても良い。
【００４７】
（実施形態９）
実施形態１ないし実施形態８においては、下部横フレーム８の内面に、リニアガイドレール１４を固定し、下部横柵１２の上面に、２台のリニアガイド１５を固定した例を示したが、リニアガイドレール１４とリニアガイド１５の配置は逆であっても良い。すなわち、図１７（ａ）〜（ｃ）に示すように、下部横柵１２に、リニアガイドレール１４を固定し、下部横フレーム８に２台のリニアガイド１５を固定するようにしても良い。
【００４８】
（実施形態１０）
扉部４を固定部３にスライド自在に取り付ける手段は、リニアガイドレール１４とリニアガイド１５の組合せには限定されない。図１８（ａ）〜（ｃ）に示すように、上部横柵１１と下部横柵１２の戸尻側の端部にローラ４５を軸支しても良い。上部横柵１１の戸尻側の端部には、上部横フレーム７の内面の頂部と底部に当接して転動するローラ４５が合計４個軸支される。下部横柵１２の戸尻側の端部には、下部横フレーム８の内面の頂部と底部に当接して転動するローラ４５に加えて、下部横フレーム８の内側面に当接して転動するローラ４５が配置され、合計８個のローラ４５が軸支される。このように構成されているので、上部横フレーム７においては扉部４の上下方向の振動が抑制され、下部横フレーム８においては扉部４の上下方向及び水平方向の振動が抑制される。また、下部横フレーム８の戸先側の端部には補助ローラ４６が軸支されていて、扉部４の重量を支えている。
【００４９】
（実施形態１１）
扉部４を固定部３にスライド自在に取り付ける手段の例示を続ける。実施形態１０におけるローラ４５の代わりに、図１９（ａ）〜（ｃ）に示すように、上部横柵１１と下部横柵１２の戸尻側の端部にブッシュ４７を取り付けるようにしても良い。ブッシュ４７は、それぞれ、上部横フレーム７と下部横フレーム８の内面に当接して、上部横フレーム７と下部横フレーム８に対して摺動するので、扉部４が固定部３にスライド自在に支持される。
【００５０】
（実施形態１２）
扉部４を固定部３にスライド自在に取り付ける手段の例示を更に続ける。実施形態１１におけるブッシュ４７の代わりに、図２０（ａ）〜（ｃ）に示すように、上部横柵１１の戸尻側の端部の外周面に、樹脂製の摺動部材４８を取り付けても良い。図２０（ｃ）に示すように、横断面形において、摺動部材４８は上部横柵１１の上下左右の４箇所に取り付けられる。この４個の摺動部材４８は、上部横フレーム７と下部横フレーム８の内面の、頂面、底面及び左右の側面に当接して、上部横フレーム７に対して摺動するので、扉部４が固定部３にスライド自在に支持される。
【００５１】
（実施形態１３）
可動ホーム柵１は、固定部３又は扉部４にパネルを備えても良い。例えば、図２１（ａ）〜（ｃ）に示すように、上部横柵１１と下部横柵１２の間にパネル４９を配置するようにしても良い。パネル４９は戸先側においてパネル支持体５０を介して戸先部材１３に固定されている。また、上部横フレーム７の下面と、下部横フレーム８の上面には、それぞれ、パネル案内レール５１が固定されている。パネル案内レール５１はパネル４９をＸ軸方向にスライド自在に支持する部材である。また、下部横フレーム８の上面のパネル案内レール５１より戸先側に寄った位置には、補助ローラ４６が軸支されていて、パネル４９の重量を支えている。なお、パネル案内レール５１は、上部横フレーム７と下部横フレーム８のいずれか一方に取り付けられていても良い。
【００５２】
また、パネル４９は、板状の部材であれば、材質、色及び形状等は特に限定されない。パネル４９の素材を例示するならば、ガラス、金属、合成樹脂、あるいはこれらの複合材料などが挙げられる。  
【００５３】
（実施形態１４）
パネル４９を備える可動ホーム柵１の構成例の例示を続ける。図２２（ａ）〜（ｃ）に示すように、パネル４９が、その上辺と下辺において、上部横柵１１と下部横柵１２に固定されるようにしても良い。本実施形態においては、図２２（ｃ）に示すように、上部横フレーム７と下部横フレーム８は、横断面形において「Ｃ」字形をなすように構成されている。そしてパネル４９は、「Ｃ」字形の切り開けられた部分を通って、上部横フレーム７と下部横フレーム８の中に入っている。このように、上部横フレーム７と下部横フレーム８を、横断面形において「Ｃ」字形をなすように構成しているので、パネル４９を上部横柵１１及び下部横柵１２に固定して、Ｘ軸方向にスライドさせることができる。なお、本実施形態においても、パネル４９を戸先側においてパネル支持体５０を介して戸先部材１３に固定することもできる。
【００５４】
（実施形態１５）
パネル４９を備える可動ホーム柵１の構成例の例示を更に続ける。図２３（ａ）〜（ｃ）に示すように、パネル４９が、上部横柵１１と戸先部材１３に固定されるようにしても良い。本実施形態では、図２３（ａ）及び（ｂ）に示すようにパネル４９は、パネル支持体５０を介して、上部横柵１１と戸先部材１３に固定されている。また、図２３（ｃ）に示すように、上部横フレーム７は、実施形態１４の場合と同様に、横断面形において「Ｃ」字形をなすように構成されている。一方、下部横フレーム８の横断面形は閉じている。そして、下部横フレーム８の戸先側の端部の上面には、パネル保持具５２が固定されている。パネル保持具５２は横断面形において上辺が開放された椀型の部材であって、パネル支持体５０をＸ軸方向に摺動自在に保持する部材である。
【００５５】
（実施形態１６）
パネル４９を備える可動ホーム柵１の構成例の例示を更に続ける。図２４（ａ）〜（ｃ）に示すように、固定部３にパネル４９を固定するようにしても良い。本実施形態において、パネル４９は、柱状部材５と柱状部材６の間において、上部横フレーム７と下部横フレーム８の間を覆い、更に下部横フレーム８の下方に延びるような大きさを備えている。また、図示しない固定部材を介して、固定部３に固定されている。
【００５６】
（実施形態１７）
可動ホーム柵１の固定部３に、非常時に、人力で開放されて、軌道側にいる乗客をホーム側に脱出させる非常扉を備えることもできる。本実施形態においては、図２５（ａ）及び（ｂ）に示すように、固定部３は、固定部３と非常扉部５３に分割されている。そして、非常扉部５３はヒンジ５４を介して固定部３に取り付けられていて、ヒンジ軸５４ａ回りに回動する。非常扉部５３は、第１〜３の水平部材５３ａ〜５３ｃと、第１及び第２の垂直部材５３ｄ、５３ｅを備えている。第１及び第２の水平部材５３ａ、５３ｂは、固定部３の上部横フレーム７と下部横フレーム８とそれぞれ平行に配置されている。また、第１及び第２の水平部材５３ａ、５３ｂは、それぞれ、上部横フレーム７と下部横フレーム８と同一の横断面形を備えている。
【００５７】
また、本実施形態に係る可動ホーム柵１の扉部４の上部横柵１１には、リニアガイドレール１４が固定され、リニアガイド１５は固定部３の上部横フレーム７に固定されている。また本実施形態に係る可動ホーム柵１の駆動機構は、実施形態５と同様に構成されている。そして、全開状態（図２５（ｂ）に示す状態）においては、上部横柵１１、下部横柵１２、リニアガイドレール１４及び有端タイミングベルト３９の戸尻側の端部が、非常扉部５３の第１及び第２の水平部材５３ａ、５３ｂに差し込まれているが、全閉状態（図２５（ａ）に示す状態）においては、上部横柵１１、下部横柵１２、リニアガイドレール１４及び有端タイミングベルト３９は、その全てが非常扉部５３の第１及び第２の水平部材５３ａ、５３ｂから引き抜かれている。
【００５８】
そのため、全閉状態（図２５（ａ）に示す状態）においては、非常扉部５３のヒンジ軸５４ａ回りの回動を妨げるものがないので、非常扉部５３を自由に開閉することができる。なお、全開状態（図２５（ｂ）に示す状態）においては、非常扉部５３を開放することはできないが、全開状態において非常扉部５３を開放する必要はないので、不都合は生じない。
【００５９】
なお、本実施形態に係る可動ホーム柵１は、非常扉部５３をロックする図示しないロック機構を備えていて、通常の運転時には、非常扉部５３はロックされる。つまり、通常の運転時には、非常扉部５３を開放することはできない。
【００６０】
（実施形態１８）
一般に、可動ホーム柵１は、据え付け場所（プラットホーム）に埋設固定された据え付けプレートに、固定部３をボルト止めして固定されるが、図２６に示すようにプラットホーム５５に、取り付け穴５６を掘って、取り付け穴５６に柱状部材５，６の基部を直接埋設するようにしても良い。また、本実施形態においては、図２７に示すように、固定部３に内蔵された電動機３６の電源ケーブル３６ａや図示しない制御ケーブルを柱状部材６を通してプラットホーム５５の床下（地中）に導いて、プラットホーム５５の床下（地中）でケーブルを引き回すようにすることもできる。
【００６１】
（実施形態１９）
実施形態１〜１８においては特に言及しなかったが、柱状部材５，６と上部及び下部横フレーム７，８は公知の締結手段、例えば、溶接やボルト留めによって結合される。柱状部材５，６と上部及び下部横フレーム７，８の間に調整部材を介在させても良い。本実施形態においては、柱状部材５，６と上部及び下部横フレーム７，８の間に取り付け金具５７を介在させて、柱状部材５，６における上部及び下部横フレーム７，８の取り付け位置を調整可能にした構成を例示する。
【００６２】
本実施形態に係る可動ホーム柵１の固定部３も、図２８（ａ）〜（ｃ）に示すように、柱状部材５，６に、上部及び下部横フレーム７，８を取りつけて構成される。なお、図２８（ａ）において、符号５８で示した板状の部材は、スリット５９を備えて、スリット５９に沿ってプッシュプルチェーン２４を移動させて収納するチェーン収納パネルである。
【００６３】
さて、図２８（ａ）と（ｂ）に示すように、柱状部材５には、上部及び下部横フレーム７，８が直接取り付けられる。また、図２８（ａ）と（ｃ）に示すように、柱状部材６には、取り付け金具５７を介して、上部及び下部横フレーム７，８が直接取り付けられる。また図２８（ｃ）に示すように、取り付け金具５７は、柱状部材６に取り付けられる取り付け部５７ａと、上部横フレーム７又は下部横フレーム８に縛着される縛着部５７ｂを備えている。縛着部５７ｂはリング状の部材であって、ねじ５７ｃを緩めると、上部横フレーム７又は下部横フレーム８に対してＸ軸方向に移動させることができる。また、ねじ５７ｃを締めると、縛着部５７ｂは上部横フレーム７又は下部横フレーム８に対して固定される。
【００６４】
例えば図２９（ａ）に示すように、取り付け穴５６の間隔と、柱状部材５，６の間隔が一致しない時に、ねじ５７ｃを緩める。そして、取り付け金具５７（縛着部５７ｂ）を上部横フレーム７に対してＸ軸方向に移動させて、図２９（ｂ）に示すように、取り付け穴５６の間隔と、柱状部材５，６の間隔を一致させる。その結果、図２９（ｃ）に示すように、柱状部材５，６を取り付け穴５６に差し込むことが可能になる。
【００６５】
また、図３０（ａ）に示すように、扉部４と扉部４’の戸先が合わない場合に、取り付け金具５７を使って、扉部４の向きを調整して戸先を合わせることもできる。取り付け金具５７の取り付け部５７ａは、図３１（ａ）に示すように、ねじ５７ｄで縛着部５７ｂに締結されているので、ねじ５７ｄを緩めると、取り付け部５７ａと縛着部５７ｂのＺ方向の間隔を調整することができる。そして図３１（ｂ）に示すように調整が完了したら、つまり、図３０（ｂ）に示すように、扉部４と扉部４’の戸先が互いに当接したら、ねじ５７ｄを締め上げて、取り付け部５７ａを縛着部５７ｂに固定する。
【００６６】
（実施形態２０）
１組の柱状部材５，６に、２組の扉部４、４’を取り付けて、左右両方向に扉部４、４’が引き出される可動ホーム柵１を構成することもできる。図３２（ａ）は、本実施形態に係る扉部４、４’を備える可動ホーム柵１の構成図である。図３２（ａ）に示すように、扉部４は、閉扉時に図の左側に引き出される。図３２（ｂ）に示すように、扉部４’は、閉扉時に図の右側に引き出される。このように、本実施形態に係る可動ホーム柵１は、２組の扉部４、４’が１組の柱状部材５，６を共有している。
【００６７】
図３３（ａ）〜（ｃ）に示すように、扉部４、上部横フレーム７及び下部横フレーム８の組は、１組の柱状部材５，６を挟んで互いに反対側に配置される。つまり、一方が軌道側に他方がホーム側に配置される。そして、上部横フレーム７及び下部横フレーム８は柱状部材６に直接溶接固定されている。また、上部横フレーム７及び下部横フレーム８は、取り付け金具５７を介して、柱状部材５に取り付けられる。上部横フレーム７’及び下部横フレーム８’は柱状部材５に直接溶接固定されている。また、上部横フレーム７’及び下部横フレーム８’は、取り付け金具５７を介して、柱状部材６に取り付けられる。これらを組み付けると、図３４（ａ）〜（ｃ）に示すような可動ホーム柵１が構成される。可動ホーム柵１をこのように構成すれば、上部横フレーム７及び下部横フレーム８を柱状部材５に対して、上部横フレーム７’及び下部横フレーム８’を柱状部材６に対して、取り付け位置や角度を微調整することができる。
【００６８】
（実施形態２１）
図３５に示すように、製作時の誤差等に起因して、固定部３と扉部４のアラインメントに不良が生じる場合がある。具体的には、例えば、上部横フレーム７と下部横フレーム８の平行度、あるいは上部横柵１１と下部横柵１２の平行度が許容範囲を超える場合がある。その結果、扉部４がスムーズに動作できない場合がある。
【００６９】
そこで、図３６に示すような調整器具６０を可動ホーム柵１に備えれば、かかる問題は解消する。調整器具６０は図３６に示すように、ケーシング６０ａと、ケーシング６０ａに螺合されてケーシング６０ａに対して進退するねじ棒６０ｂと、ねじ棒６０ｂの先端に取り付けられた先端部６０ｃとで構成される。このように構成されているので、ねじ棒６０ｂを回すと、ケーシング６０ａと先端部６０ｃの間隔が変化する。図３６の例では、ケーシング６０ａを下部横フレーム８に、先端部６０ｃを上部横フレーム７に取り付けているので、下部横フレーム８と上部横フレーム７の間隔を調整できる。
【００７０】
調整器具６０は、例えば、図３７に示すように、扉部４の上部横柵１１と下部横柵１２に取り付けて使用される。あるいは、図３８に示すように、下部横フレーム８と上部横フレーム７に取り付けて使用される。
【００７１】
（実施形態２２）
実施形態１（図１）においては、ディスプレイ装置９を固定部３のホーム側（＋Ｚ側)にむき出しで配置する例を示したが、図３９（ａ）に示すように、ディスプレイ装置９は固定部３の内部に配置されても良い。図３９（ａ）及び図３９（ｂ）に示すように、固定部３のホーム側にガラスパネル６１を取り付けて、ホーム側（＋Ｚ側)からガラスパネル６１越しに、ディスプレイ装置９が視認されるようにしても良い。また、図３９（ｂ）に示すように、ディスプレイ装置９は横フレーム７，８の中間に配置されて、ブラケット９ａを介して、柱状部材５に固定されている。なお、図示を省略したが、ディスプレイ装置９はブラケット９ａを介して、柱状部材６にも固定されている。つまり、ディスプレイ装置９はブラケット９ａを介して、柱状部材５と柱状部材６に固定されている。
【００７２】
（実施形態２３）
図４０（ａ）及び図４０（ｂ）に示すように、扉部４にパネル２１を備える可動ホーム柵１において、パネル２１の軌道側（−Ｚ側)にディスプレイ装置９を配置しても良い。本実施形態に係る可動ホーム柵１においては、パネル２１を透明にすれば、開扉時であっても、ホーム側（＋Ｚ側)から透明なパネル２１越しに、ディスプレイ装置９を視認することができる。また、固定部３のホーム側（＋Ｚ側)にガラスパネル６１を取り付けて、ホーム側（＋Ｚ側)からガラスパネル６１とパネル２１越しに、ディスプレイ装置９が視認されるようにしても良い。なお、図４０（ａ）に示すように、ディスプレイ装置９はブラケット９ａを介して、柱状部材５と柱状部材６に固定されている。また、図４０（ｂ）に示すように、ディスプレイ装置９は、横フレーム７，８よりも軌道側（−Ｚ側)に寄った位置に配置されている。そのため、扉部４をＸ軸方向に進退させる際に、扉部４（上部横柵１１、下部横柵１２及びパネル２１）がディスプレイ装置９と干渉することがない。
【００７３】
（実施形態２４）
図５に示した実施形態１の変形例のように、２組の扉部４，４’を備える可動ホーム柵１において、ディスプレイ装置９を２組の扉部４，４’の間に配置しても良い。つまり図４１に示すように、ディスプレイ装置９を柱状部材５と図示しない柱状部材６の間に配置して、ホーム側（＋Ｚ側)から扉部４の透明なパネル２１越しに、ディスプレイ装置９が視認されるようにしても良い。また、固定部３のホーム側（＋Ｚ側)にガラスパネル６１を取り付けて、ホーム側（＋Ｚ側)からガラスパネル６１とパネル２１越しに、ディスプレイ装置９が視認されるようにしても良い。なお、ディスプレイ装置９は、透過型ディスプレイであっても良い。
【００７４】
（実施形態２５）
実施形態１７（図２５）に示した可動ホーム柵１のような非常扉部５３を備える可動ホーム柵１において、ディスプレイ装置９を非常扉部５３に取り付けることもできる。つまり図４２（ａ）に示すように、ディスプレイ装置９を非常扉部５３の垂直部材５３ｄ，５３ｅの間に配置して、ブラケット９ａを介して、垂直部材５３ｄ，５３ｅに固定するようにしても良い。また図４２（ｂ）に示すように、パネル２１を透明にすれば、開扉時であっても、ホーム側（＋Ｚ側)から透明なパネル２１越しに、ディスプレイ装置９を視認することができる。また、図４２（ａ）及び図４２（ｂ）に示すように、非常扉部５３のホーム側（＋Ｚ側)にガラスパネル６１を取り付けて、ホーム側（＋Ｚ側)からガラスパネル６１とパネル２１越しに、ディスプレイ装置９が視認されるようにしても良い。なお、ディスプレイ装置９は、透過型ディスプレイであっても良い。ディスプレイ装置９を透過型ディスプレイにすれば、緊急避難時において、軌道側にいる避難者が透過型ディスプレイを通してホーム側を視認できるので、安全性が向上する。
【００７５】
なお、図４２（ａ）に示すように、本実施形態においては、横フレーム７上に固定された筐体１０に加えて、非常扉部５３の水平部材５３ａ上にも筐体１０’が固定するようにしても良い。筐体１０と筐体１０’のそれぞれに制御装置が収容されている。そして筐体１０に収容された制御装置と筐体１０’に収容された制御装置は図示しないケーブルを介して電気的に接続されている。
【００７６】
（実施形態２６）
図４３（ａ）及び図４３（ｂ）に示すように、ディスプレイ装置９を、ブラケット９ａを介して、非常扉部５３の水平部材５３ａと水平部材５３ｃに固定するようにしても良い。本実施形態においては、図４３（ｂ）に示すように、ディスプレイ装置９はパネル２１のホーム側（＋Ｚ側)に配置されるから、パネル２１は透明でなくても良い。また、本実施形態においても、非常扉部５３のホーム側（＋Ｚ側)にガラスパネル６１を取り付けて、ホーム側（＋Ｚ側)からガラスパネル６１とパネル２１越しに、ディスプレイ装置９が視認されるようにしても良い。なお、ディスプレイ装置９は、透過型ディスプレイであっても良い。ディスプレイ装置９を透過型ディスプレイにすれば、緊急避難時において、軌道側にいる避難者が透過型ディスプレイを通してホーム側を視認できるので、安全性が向上する。
【００７７】
（実施形態２７）
図４４（ａ）及び図４４（ｂ）に示すように、２組の扉部４，４’と非常扉部５３を備える可動ホーム柵１において、ディスプレイ装置９を非常扉部５３に取り付けることもできる。本実施形態においても、図４４（ｂ）に示すように、パネル２１を透明にすれば、開扉時であっても、ホーム側（＋Ｚ側)から透明なパネル２１越しに、ディスプレイ装置９を視認することができる。また、図４４（ａ）及び図４４（ｂ）に示すように、非常扉部５３のホーム側（＋Ｚ側)にガラスパネル６１を取り付けて、ホーム側（＋Ｚ側)からガラスパネル６１とパネル２１越しに、ディスプレイ装置９が視認されるようにしても良い。なお、ディスプレイ装置９は、透過型ディスプレイであっても良い。ディスプレイ装置９を透過型ディスプレイにすれば、緊急避難時において、軌道側にいる避難者が透過型ディスプレイを通してホーム側を視認できるので、安全性が向上する。
【００７８】
なお、図４４（ａ）に示すように、本実施形態においては、筐体１０と筐体１０’に加えて、横フレーム７’上にも筐体１０”を固定するようにしても良い。筐体１０”にも制御装置が収容されている。そして筐体１０” に収容された制御装置と、筐体１０及び筐体１０’に収容された制御装置は図示しないケーブルを介して電気的に接続されている。
【００７９】
以上、説明したように、上記各実施形態によれば、可動ホーム柵１の固定部３は、柱状部材５，６と上部及び下部横フレーム７，８だけで構成される。扉部４は、上部及び下部横柵１１，１２と戸先部材１３だけで構成される。このように、上記各実施形態に係る可動ホーム柵１は従来品に比べて、シンプルな構造を備えている。そのため、軽量かつ安価な可動ホーム柵１が得られる。
【００８０】
なお、上記各実施形態は、それぞれ単独で実施されるものではない。各実施形態を組合せれば、さまざまな応用例や変形例が得られる。そもそも、上記各実施形態は、本発明の具体的な実施態様の例示であって、本発明の技術的範囲を限定するものではない。本発明は、特許請求の範囲に記載された技術的思想の範囲において、自由に応用、変形、あるいは改良して実施することができる。
【００８１】
例えば、上記実施形態において、１本の管材を曲げ加工して、上部横柵１１、下部横柵１２及び戸先部材１３とからなる扉部４を構成する例を示したが、扉部４は１材で構成されるものには限定されない。扉部４は複数の部材で構成されても良い。
【００８２】
また、上記各実施形態に係る図面において、円形または円環状、円弧状の断面を備える部材を例示したが、可動ホーム柵１を構成する部材は、係る形態的特徴を有するものには限定されない。各種の部材を自由に選択することができる。
【００８３】
また、可動ホーム柵１を、管状部材で構成する時、管状部材は丸パイプには限定されない。管状部材は角パイプであってもよいし、その他の断面形状を有するパイプであっても良い。要するに閉じた断面形状を有する部材は、すべて管状部材である。
【００８４】
また、上記各実施形態に係る図面において、円形または円環状、円弧状の断面を備える部材を例示したが、可動ホーム柵１を構成する部材は、係る形態的特徴を有するものには限定されない。各種の部材を自由に選択することができる。
【００８５】
また、上記実施形態において例示したプッシュプルチェーンの形態は、文字通り例示であって、プッシュプルチェーンの形状や構成は上記実施形態によっては限定されない。プッシュプルチェーンは、要するに、複数のリンク部材（図８に示したリンク３０に相当する部材）を連結ピンで回動自在に連結するとともに、リンク部材に回動規制面（図８に示した隅部３０ａに相当する部位）を設けた動力伝達用のチェーンである。プッシュプルチェーンはリンク部材に回動規制面を備えるので、ある方向には曲がるが、逆方向には曲がらないように構成されている。そのため、プッシュプルチェーンは、真っ直ぐに引き延ばされた状態において、推力を伝達することができる。また、プッシュプルチェーンは特定の方向に曲げることができるので、スプロケットに巻掛けることができる。そのため、プッシュプルチェーンはスプロケットホイールで駆動されて、張力及び推力を伝えることができる。つまり、プッシュプルチェーンは、このような作用をもたらす動力伝達用のチェーンであって、形態や形状は限定されない。
【００８６】
なお、プッシュプルチェーンのリンク部材に備える回動規制面は隅部３０ａのような直角の隅部には限定されない。側面形において曲線を描く回動規制面を用いることもできる。また、回動規制面を備える部材はリンク部材には限定されない。図８に示した実施例におけるジョイントピース３１に相当する部材に回動規制面を備えるようにしても良い。
【００８７】
また、上記実施形態に示した第１〜３の誘導部材２７〜２９の形状も例示であって、誘導部材の形状や構成は上記実施形態によっては限定されない。要するに誘導部材はプッシュプルチェーンの意図しない方向への変位を規制する部材であって、その目的を達成するために、さまざまな形状が選択される。また、プッシュプルチェーンの形状や構成が異なれば、誘導部材の形状や構成も変化する。
【００８８】
また、上記実施形態に示したディスプレイ装置９と筐体１０の形状と配置は例示であって、これらは上記実施形態によっては限定されない。なお、可動ホーム柵１において、固定部３は扉部４と対になる概念である。したがって、固定部３に非常扉部５３を備える場合であっても、非常扉部５３は固定部３に包含される。つまり、固定部３に筐体１０を備える場合には、非常扉部５３に筐体１０を備える場合が含まれる。また、固定部３にディスプレイ装置９を備える場合には、非常扉部５３にディスプレイ装置９を備える場合が含まれる。
【符号の説明】
【００８９】
１  可動ホーム柵、２  床面、３  固定部、４，４’  扉部、５，５’ ，６，６’  柱状部材、５ａ，６ａ  下部柱状部材、５ｂ，６ｂ  上部柱状部材、７，７’  上部横フレーム、８，８’  下部横フレーム、９  ディスプレイ装置、９ａ  ブラケット、１０，１０’ ，１０”  筐体、１０ａ  制御装置、１１  上部横柵、１２  下部横柵、１２ａ  戸先側端部、１２ｂ  戸尻側端部、１３  戸先部材、１４  リニアガイドレール、１５  リニアガイド、１６  ベース、１７  カバー、１８  ヒンジ、１９  小蓋、２０  ヒンジ、２１  パネル、２２  中間部横柵、２３  中間部横フレーム、２４  プッシュプルチェーン、２４ａ  自由端、２５  スプロケットホイール、２６  ブラケット、２７  第１の誘導部材、２７ａ  第１部材、２７ｂ  第２部材、２８  第２の誘導部材、２９  第３の誘導部材、３０  リンク、３０ａ  隅部、３０ｂ  隅部、３１  ジョイントピース、３２  ピン、３３  駆動プーリ、３４，３４ａ，３４ｂ   従動プーリ、３５  タイミングベルト、３５ａ  ベルトクランプ、３６  電動機、３６ａ  電源ケーブル、３７  ローラ、３８  第３の横フレーム、３９  有端タイミングベルト、４０  ガイドローラ、４１  送りねじ、４２  ナット、４３  ラック、４４  ピニオン、４５  ローラ、４６  補助ローラ、４７  ブッシュ、４８  摺動部材、４９  パネル、５０  パネル支持体、５１  パネル案内レール、５２  パネル保持具、５３  非常扉部、５３ａ〜５３ｃ  水平部材、５３ｄ，５３ｅ  垂直部材、５４  ヒンジ、５４ａ  ヒンジ軸、５５  プラットホーム、５６  取り付け穴、５７  取り付け金具、５７ａ  取り付け部、５７ｂ  縛着部、５７ｃ  ねじ、５７ｄ  ねじ、５８  チェーン収納パネル、５９  スリット、６０  調整器具、６０ａ  ケーシング、６０ｂ  ねじ棒、６０ｃ  先端部、６１  ガラスパネル
【図１】
2017137014.tif 000003
【図２】
2017137014.tif 000004
【図３】
2017137014.tif 000005
【図４】
2017137014.tif 000006
【図５】
2017137014.tif 000007
【図６】
2017137014.tif 000008
【図７】
2017137014.tif 000009
【図８】
2017137014.tif 000010
【図９】
2017137014.tif 000011
【図１０】
2017137014.tif 000012
【図１１】
2017137014.tif 000013
【図１２】
2017137014.tif 000014
【図１３】
2017137014.tif 000015
【図１４】
2017137014.tif 000016
【図１５】
2017137014.tif 000017
【図１６】
2017137014.tif 000018
【図１７】
2017137014.tif 000019
【図１８】
2017137014.tif 000020
【図１９】
2017137014.tif 000021
【図２０】
2017137014.tif 000022
【図２１】
2017137014.tif 000023
【図２２】
2017137014.tif 000024
【図２３】
2017137014.tif 000025
【図２４】
2017137014.tif 000026
【図２５】
2017137014.tif 000027
【図２６】
2017137014.tif 000028
【図２７】
2017137014.tif 000029
【図２８】
2017137014.tif 000030
【図２９】
2017137014.tif 000031
【図３０】
2017137014.tif 000032
【図３１】
2017137014.tif 000033
【図３２】
2017137014.tif 000034
【図３３】
2017137014.tif 000035
【図３４】
2017137014.tif 000036
【図３５】
2017137014.tif 000037
【図３６】
2017137014.tif 000038
【図３７】
2017137014.tif 000039
【図３８】
2017137014.tif 000040
【図３９】
2017137014.tif 000041
【図４０】
2017137014.tif 000042
【図４１】
2017137014.tif 000043
【図４２】
2017137014.tif 000044
【図４３】
2017137014.tif 000045
【図４４】
2017137014.tif 000046